(57)【要約】【課題】歯科用ガスバーナにおいて、着火の際の放電音をなくして医療環境を静粛に保つこと、点火中であること或いは点火中のガスバーナが消えてしまったことを表示し、或いは、電池の消費量を抑えて、電池の長寿命化を図る。【解決手段】ガスボンベ１１と、ガスボンベ１１からのガスを供給するガス供給流路１２と、ガス供給流路１２の端部に設けられたフレーム筒１３と、ガス供給流路１２に設けられたガス流量調整弁１６とを有し、ガス流量調整弁１６によってガスボンベ１１からフレーム筒１３へ供給するガスの流量を調整してフレーム筒１３からの火炎の大きさを制御する。フレーム筒１３のガス噴出口近傍にヒータ１４を有し、ヒータ１４を加熱後、ガス流量調整弁１６を開いて加熱されたヒータ１４によりフレーム筒１３から噴出されるガスを着火させる。着火後はヒータ１４をオフにし、フィラメント１５をオンにし、少電力でガスの燃焼を保持する。【選択図】図１
2007278649.tif 000002
【特許請求の範囲】
【請求項１】
ガスボンベと、該ガスボンベからのガスを供給するガス供給流路と、該ガス供給流路の端部に設けられたフレーム筒と、前記ガス供給流路に設けられたガス流量調整弁とを有し、該ガス流量調整弁によって前記ガスボンベから前記フレーム筒へ供給するガスの流量を調整して該フレーム筒からの火炎の大きさを制御するようにした歯科用ガスバーナにおいて、前記フレーム筒のガス噴出口近傍にヒータを有し、該ヒータを加熱後、前記ガス流量調整弁を開いて前記加熱されたヒータにより前記フレーム筒から噴出されるガスを着火させることを特徴とする歯科用ガスバーナ。
【請求項２】
前記フレーム筒のガス噴出口近傍にフィラメントを有し、着火後は、前記ヒータの加熱を遮断し、該フィラメントを加熱することによりガスの燃焼を保持させるようにしたことを特徴とする請求項１に記載の歯科用ガスバーナ。
【請求項３】
前記ガス流量調整弁が開の時はブザー音及び／又はランプ表示にて警報を発生するようにしたことを特徴とする請求項１又は２に記載の歯科用ガスバーナ。
【請求項４】
前記ガス噴出口近傍に赤色ランプを有し、ガス燃焼時、該赤色ランプにて前記ガス噴出口近傍を照明し、ガスが燃焼中であることを該照明光によって表示するようにしたことを特徴とする請求項１乃至３のいずれかに記載の歯科用ガスバーナ。
【請求項５】
前記ガス流量調整弁が開かれている間、前記ヒータの抵抗値を検出する手段を有し、該ヒータの抵抗値が低下した時に、ブザー音及び／又はランプ表示にて警告を発生することを特徴とする請求項１乃至４のいずれかに記載の歯科用ガスバーナ。
【請求項６】
前記ヒータの抵抗値が低下した時に、前記ガス流量調整弁を閉じることを特徴とする請求項１乃至５のいずれかに記載の歯科用ガスバーナ。
【請求項７】
前記ガス供給流路にガス流検出手段を有し、前記ガス流量調整弁が開の時に、該ガス供給流路のガス流が低下したことを検出した時に、前記ガス流量調整弁を閉じることを特徴とする請求項１乃至６のいずれかに記載の歯科用ガスバーナ。
【請求項８】
前記ガス供給流路のガス流が低下した時に、ブザー音及びランプ表示にて警告を発生するようにしたことを特徴とする請求項１乃至７のいずれかに記載の歯科用ガスバーナ。
【発明の詳細な説明】
【技術分野】
【０００１】
本発明は、歯科用ガスバーナ、より詳細には、歯科技工において、鑞着や鋳造等の熱作業に使用するガスバーナに係り、特に、従来の圧電式着火手段に代って、ヒータ式着火手段を用いることによって、着火時にノイズ音（雑音）を発生しないようにした歯科用ガスバーナに関する。
【背景技術】
【０００２】
図２は、本発明が適用されるガスバーナの一例を説明するための概略図で、図中、１はバーナ支柱管（ガス供給流路）、２は点火栓支柱、３は点火栓制御ボックス、４はカバー、５はプロテクターで、同図は、カバー４を開いた状態を示している。このガスバーナは、周知のように、点火栓制御ボックス３内に、前記バーナ支柱管１に連通するガスボンベが収納されており、ガス点火・消火スイッチ２０を押すことにより、ガスバーナ支柱管１の下方に設けられている弁を開き、該弁を通して噴出されたガスがガスバーナ支柱管１内を上昇し、該ガスバーナ支柱管１の上部に設けられたフレーム（flame）筒６で燃焼し、該ガス点火・消火スイッチ２０を再度押すことによって前記弁が閉じ、ガスの燃焼を消す。
【０００３】
ガスを燃焼させるためには、前記ガス点火・消火スイッチ２０を押して、前記弁を開くとともに点火栓７とフレーム筒６の略中心部に設けられた放電端子８との間に火花放電を発生させ、フレーム筒６より放出されるガスを点火させるが、その際の放電音が雑音になって環境を騒々しいものにし、また、電池駆動式のガスバーナにおいては、電力の消費量が大きくなり、電池の寿命が短く、その維持管理が大変である等の問題があった。
【０００４】
また、一旦、点火したガスは燃焼し続けるが、何らかの原因でガスが消えてしまうと、前記弁を遮断しないと、ガスが放出され続けて危険である。また、実際に、ガスが燃えているかどうかを目で確認することは難しく、ガスが燃焼しているにも関わらず、手を近づけてしまうことがあり、危険である。そのため、ガスバーナが点灯中であることを表示するために、ガス噴出口近傍を目視しやすい赤色ランプで照明（表示）したり、スピーカ９、或いは、パイロットランプ１０等を設けておき、ガスバーナ点火中、該スピーカ９を鳴らし、或いは、パイロットランプ１０を点灯しておくようにしている。
【発明の開示】
【発明が解決しようとする課題】
【０００５】
本発明は、上記のごとき実情に鑑みてなされたもので、歯科用ガスバーナにおいて、着火の際の放電音をなくして医療環境を静粛に保つこと、ガスバーナが点火中であること或いは点火中のガスバーナが消えてしまったことを表示し、或いは、電池の消費量を抑え、電池の長寿命化を図ること等を目的としてなされたものである。
【課題を解決するための手段】
【０００６】
請求項１の発明は、ガスボンベと、該ガスボンベからのガスを供給するガス供給流路と、該ガス供給流路の端部に設けられたフレーム筒と、前記ガス供給流路に設けられたガス流量調整弁とを有し、該ガス流量調整弁によって前記ガスボンベから前記フレーム筒へ供給するガスの流量を調整して該フレーム筒からの火炎の大きさを制御するようにした歯科用ガスバーナにおいて、前記フレーム筒のガス噴出口近傍にヒータを有し、該ヒータを加熱後、前記ガス流量調整弁を開いて前記加熱されたヒータにより前記フレーム筒から噴出されるガスを着火させることを特徴としたものである。
【０００７】
請求項２の発明は、請求項１の発明において、前記フレーム筒のガス噴出口近傍にフィラメントを有し、着火後は、前記ヒータの加熱を遮断し、該フィラメントを加熱することによりガスの燃焼を保持させるようにしたことを特徴としたものである。
【０００８】
請求項３の発明は、請求項１又は２の発明において、前記ガス流量調整弁が開の時はブザー音及び／又はランプ表示にて警報を発生するようにしたことを特徴としたものである。
【０００９】
請求項４の発明は、請求項１乃至３のいずれかの発明において、前記ガス噴出口近傍に赤色ランプを有し、ガス燃焼時、該赤色ランプにて前記ガス噴出口近傍を照明し、ガスが燃焼中であることを該照明光によって表示するようにしたことを特徴としたものである。
【００１０】
請求項５の発明は、請求項１乃至４のいずれかの発明において、前記ガス流量調整弁が開かれている間、前記ヒータの抵抗値を検出する手段を有し、該ヒータの抵抗値が低下した時に、ブザー音及び／又はランプ表示にて警告を発生することを特徴としたものである。
【００１１】
請求項６の発明は、請求項１乃至５のいずれかの発明において、前記ヒータの抵抗値が低下した時に、前記ガス流量調整弁を閉じることを特徴としたものである。
【００１２】
請求項７の発明は、請求項１乃至６のいずれかの発明において、前記ガス供給流路にガス流検出手段を有し、前記ガス流量調整弁が開の時に、該ガス供給流路のガス流が低下したことを検出した時に、前記ガス流量調整弁を閉じることを特徴としたものである。
【００１３】
請求項８の発明は、請求項１乃至７のいずれかの発明において、前記ガス供給流路のガス流が低下した時に、ブザー音及びランプ表示にて警告を発生するようにしたことを特徴としたものである。
【発明の効果】
【００１４】
請求項１の発明によると、ガスボンベと、該ガスボンベからのガスを供給するガス供給流路と、該ガス供給流路の端部に設けられたフレーム筒と、前記ガス供給流路に設けられたガス流量調整弁とを有し、該ガス流量調整弁によって前記ガスボンベから前記フレーム筒へ供給するガスの流量を調整して該フレーム筒からの火炎の大きさを制御するようにした歯科用ガスバーナにおいて、前記フレーム筒のガス噴出口近傍にヒータを有し、該ヒータを加熱後、前記ガス流量調整弁を開いて前記加熱されたヒータにより前記フレーム筒から噴出されるガスを着火させるようにしたので、ガス点火時、放電音等の雑音が発生せず、医療環境を静粛に保つことができる。
【００１５】
請求項２の発明によると、請求項１の発明において、前記フレーム筒のガス噴出口近傍にフィラメントを有し、着火後は、前記ヒータの加熱を遮断し、該フィラメントを加熱することによりガスの燃焼を保持させるようにしたので、省電力に貢献し、特に、電池駆動式のガスバーナにおいては、電池の消耗を減らし、電池の寿命を長く保つことができる。
【００１６】
請求項３の発明によると、請求項１又は２の発明において、前記ガス流量調整弁が開の時はブザー音及び／又はランプ表示にて警報を発生するようにしたので、ガスバーナが点火中、該ガスバーナが点火していることを術者に知らせるので、術者が燃焼中の炎に触れて火傷等の怪我をするような心配がない。
【００１７】
請求項４の発明によると、請求項１乃至３のいずれかの発明において、前記ガス噴出口近傍に赤色ランプを有し、ガス燃焼時、該赤色ランプにて前記ガス噴出口近傍を照明し、ガスが燃焼中であることを目視しやすい赤色ランプの点灯色によって表示するようにしたので、術者は、ガスバーナが燃焼中であることを容易に確認することができ、術者が燃焼中の炎に触れて火傷等の怪我をするような恐れがない。
【００１８】
請求項５の発明によると、請求項１乃至４のいずれかの発明において、前記ガス流量調整弁が開かれている間、前記ヒータの抵抗値を検出する手段を有し、該ヒータの抵抗値が燃焼時に対して変化した時に、ブザー音及び／又はランプ表示にて警告を発生するようにしたので、ガス燃焼中に、該ガスの燃焼が自然に消えてしまったような場合において、該ガスの燃焼が消えてしまったことを迅速に術者に知らせるので、術者は直ちに再点火することができ、所期の作業手順に従って作業を進めることができる。
【００１９】
請求項６の発明によると、請求項１乃至５のいずれかの発明において、前記ヒータの抵抗値が燃焼時に対して変化した時に、前記ガス流量調整弁を閉じるようにしたので、未燃焼のガスが噴出し続けるような心配はなく、ガスの滞留等による危険を防止することができる。
【００２０】
請求項７の発明によると、請求項１乃至６のいずれかの発明において、前記ガス供給流路にガス流検出手段を有し、前記ガス流量調整弁が開の時に、該ガス供給流路のガス流が燃焼時に対して変化したことを検出した時は、前記ガス流量調整弁を閉じるようにしたので、ガス燃焼中に、該ガスの燃焼が自然に消えてしまったような場合において、未燃焼のガスが噴出し続けるような心配はなく、ガスの滞留等による危険を防止することができる。
【００２１】
請求項８の発明によると、請求項７の発明において、前記ガス供給流路のガス流が燃焼時に対して変化した時は、ブザー音及び／又はランプ表示にて警告を発生するようにしたので、ガス燃焼中に、該ガスの燃焼が自然に消えてしまったような場合において、該ガスの燃焼が消えてしまったことを迅速に術者に知らせるので、術者は直ちに再点火することができ、所期の作業手順に従って作業を進めることができる。
【発明を実施するための最良の形態】
【００２２】
図１は、本発明による歯科用ガスバーナの一実施例を説明するための要部概略構成図で、図中、１１はガスボンベ、１２はガス供給流路（図におけるバーナ支柱管１に相当）、１３は該ガス供給流路１２を通して送給されたガスを噴出、燃焼させるためのフレーム（flame）筒（図１におけるクレーム筒６に相当）、１４は該フレーム筒１３から噴出されたガスを点火させるためのヒータ（例えば、セラミックヒータ）、１５は点火されたガスを燃焼させ続けるためのフィラメントで、フレーム筒１３からガスを噴出する前に、該ヒータ１４を加熱しておき、ガスがフレーム筒１３から噴出された時に該ガスを燃焼（着火）させ、その後は、該ヒータ１４をオフにしてフィラメント１５をオンにし、少電力でガスの燃焼を維持するようにしている。
【００２３】
ガス供給流路１２には、ガス流量調整弁１６、ガス流（ガスの圧力、流量、又は、流速等の）検出器１７が配設されており、制御装置１８は、前記ガス流量調整弁１６の開閉を制御し、更には、前記ガス流量調整弁１６の開閉度を調整して火炎の大きさを調整する。なお、これらガスボンベ１１，ガス流量調整弁１６，ガス流検出装置１７，制御装置１８等は、図２に示した点火制御ボックス３に備えられている。
【００２４】
制御装置１８は、更に、ヒータ１４のオン・オフ及びフィラメント１５のオン・オフを制御するものであり、該制御装置１８は、ガスバーナの点火に先立って、該制御装置１８に設けられている点火スイッチ（図２に示したガス点火・消火スイッチ２０）を押下すると、まず、ヒータ１４がオンされ、該ヒータ１４が十分に加熱された後、或いは、ヒータ１４がオンされて所定時間経過後に、ガス流量調整弁１６が開かれ、フレーム筒１３からガスが噴出され、噴出されたガスは既に加熱されているヒータ１４によって着火され、燃焼を開始する。燃焼した時の炎の大きさは、制御装置１８に設けられているガス流量調整用ボリウム等によって任意所望の大きさに調整される。
【００２５】
ヒータ１４の抵抗値は、ガスが点火されると、該ガスの燃焼によってその抵抗値が変化するので、該ガスの点火に伴うヒータ１４の抵抗値の変化を、制御装置１８に設けられている検出器で検出し、その検出結果に基づいて、ヒータ１４の点灯を止め、代って、フィラメント１５を点灯し、該フィラメント１５の点灯によってガスの燃焼を保持する。
【００２６】
ガスの燃焼は、前述のように、ヒータ１４の抵抗値の変化を検出して検出するようにしてもよいが、その他、フレーム筒１３の近傍にサーミスタ等、任意所望の温度検出器或いはフレーム（炎）検出器等を設けておき、ガスが燃焼していることを検出し、ガスが燃焼中であることを、ブザー音及び／又はランプ表示等によって知らせる。
【００２７】
ガスの燃焼は、制御装置１８に設けられているスイッチ（例えば、図２に示したガス点火・消火スイッチ２０）を押すことによって止めることができるが、このスイッチを押すことなく或いはガス流量調整弁１６が開状態であるにもかかわらず、ガスの燃焼が停止してしまった時は、前記ヒータ１４の抵抗値の変化或いは炎検出器によって、ガスの燃焼が停止してしまったことを検出し、ブザー音及び／又はランプ表示等によって、術者が意図しないのにもかかわらず、自然にガスの燃焼が停止してしまったことを術者に知らせる。
【００２８】
更に、制御装置１８は、ガス供給流路１２中に設けられているガス流検出器１７によって、該ガス供給流路１２中に流れているガスの圧力、流量、流速等を監視しており、ガス燃焼中に（換言すれば、ガス流量調整弁１６が開かれている時に）、該ガス流検出器１７によってガスの流量が変化したことを検出した時は、ガスの燃焼が自然に停止したものと判断し、ガス流量調整弁１６を閉じ、同時に、ブザー音及び／又はランプ表示にて、ガスの燃焼が消えた（停止）ことを知らせる。
【００２９】
更に、ガスが燃焼していることを目視にて確認することは困難であるので、フレーム筒１３の近傍に赤色発光ランプ等を設けておき、ガス燃焼中、ガス噴出口近傍を該赤色発光ランプで照明して、ガスが燃焼中であることを目視しやすい赤色光にて表示するようにし、術者が炎に触れて火傷等することのないようにする。
【図面の簡単な説明】
【００３０】
【図１】本発明による歯科用ガスバーナの一実施例を動作説明するための要部概略構成図である。
【図２】本発明が適用される、歯科用ガスバーナの要部外観図である。
【符号の説明】
【００３１】
１…バーナ支柱管（ガス供給流路）、２…点火栓支柱、３…点火栓制御ボックス、４…カバー、５…プロテクター、６，１３…フレーム筒、７…点火栓、８…放電端子、９…スピーカ、１０…パイロットランプ、１１…ガスボンベ、１２…ガス供給流路、１４…ヒータ、１５…フィラメント、１６…ガス流量調整弁、１７…ガス流検出器、１８…制御装置、２０…ガス点火・消火スイッチ。
【図１】
2007278649.tif 000003
【図２】
2007278649.tif 000004